(57)【要約】【課題】物品を安定よく陳列することができ、しかも、物品をよく顧客に見せることができ、しかも、安価で汎用性が高い陳列台を提供する。【解決手段】略水平に配設された載置部２４と、この載置部２４の上側に配設されそれ自体に挿通穴３２ａ，３３ａが穿設された上下一対の天板３２，３３とを備えている。そして、これら両天板３２，３３の挿通穴３２ａ，３３ａの少なくとも一部が載置部２４の上方に位置し、上側天板３２が、上記載置部２４の物品載置面に対し後方に向かって上向きに傾斜している。【選択図】図９
2005052372.tif 000002
【特許請求の範囲】
【請求項１】
略水平に配設された物品載置台部と、この物品載置台部の上側に配設されそれ自体に物品挿通穴が穿設された上下一対の物品挿通板とを備え、これら両物品挿通板の物品挿通穴の少なくとも一部が物品載置台部の上方に位置し、上側物品挿通板が、上記物品載置台部の物品載置面に対し後方に向かって上向きに傾斜していることを特徴とする陳列台。
【請求項２】
上記両物品挿通板が、互いに平行となるように設けられている請求項１記載の陳列台。
【発明の詳細な説明】
【技術分野】
【０００１】
本発明は、各種の物品を陳列する陳列台に関するものである。
【背景技術】
【０００２】
従来から、ファンデーション，口紅等の各種化粧料を店頭等に陳列するための陳列台として、各種の陳列台が用いられている。例えば、図１５に示すように、陳列台本体５１と、この陳列台本体５１の右側部上面にスライド自在に設けられた可動陳列皿５２とを備え、上記陳列台本体５１の左側部上面に形成された凹部５１ａにボトルタイプ, チューブタイプ等の化粧料テスター５３を載置し、上記可動陳列皿５２の上面に形成された凹部５２ａにファンデーションタイプの化粧料テスター５４を載置するようにした陳列台が提案されている（例えば、特許文献１）。
【特許文献１】特開２００１−４６１９６号公報
【発明の開示】
【発明が解決しようとする課題】
【０００３】
しかしながら、上記の陳列台のように、 通常、化粧料テスター５３，５４を収容する凹部５１ａ，５２ａは、単に、穴が穿設されているだけであるため、この穴が浅いと、化粧料テスター５３，５４が不安定になり、上記穴が深いと、化粧料テスター５３，５４を充分に顧客に見せることができない。しかも、上記各凹部５１ａ，５２ａの穴サイズを、各化粧料テスター５３，５４のサイズに合わせて作製すると、各化粧料テスター５３，５４のサイズが大きくなった場合に, 各化粧料テスター５３，５４を陳列することができない。このため、上記のサイズ変更に合わせて上記各凹部５１ａ，５２ａの穴サイズを変えなければならず、その分、多種類の陳列台本体５１を作製する必要があり、汎用性に乏しい。
【０００４】
本発明は、このような事情に鑑みなされたもので、物品を安定よく陳列することができ、しかも、物品をよく顧客に見せることができ、しかも、安価で汎用性が高い陳列台の提供をその目的とする。
【課題を解決するための手段】
【０００５】
上記の目的を達成するため、本発明の陳列台は、略水平に配設された物品載置台部と、この物品載置台部の上側に配設されそれ自体に物品挿通穴が穿設された上下一対の物品挿通板とを備え、これら両物品挿通板の物品挿通穴の少なくとも一部が物品載置台部の上方に位置し、上側物品挿通板が、上記物品載置台部の物品載置面に対し後方に向かって上向きに傾斜しているという構成をとる。
【発明の効果】
【０００６】
すなわち、本発明の陳列台は、物品載置台部の上側に、それ自体に物品挿通穴が穿設された上下一対の物品挿通板を備えているため、上下一対の物品挿通穴で、物品載置台部に載置される物品を保持することができ、物品の安定性が増す。しかも、上側物品挿通板が、上記物品載置台部の物品載置面に対し後方に向かって上向きに傾斜しているため、物品の前面がよく見える。しかも、両物品挿通板の物品挿通穴を物品の形状, 大きさに合わせて適宜設定することで、各種の物品の形状, 大きさに対応することができ、汎用性に富む。
【０００７】
上記両物品挿通板が、互いに平行となるように設けられていると、物品の形状に合わせて形成する物品挿通穴の形状が、上記両物品挿通板において、略同じ形状にすればよく、作製しやすい。
【発明を実施するための最良の形態】
【０００８】
つぎに、本発明の実施の形態を図面にもとづいて詳しく説明する。
【０００９】
図１は本発明の陳列台の実施の形態を用いた陳列装置を示している。図において、１〜３は大型陳列台であり、各大型陳列台１〜３にファンデーション，口紅等の各種化粧料を収容する化粧料容器（物品）４（商品や化粧料テスター）が陳列，展示されている。５はティッシュペーパー収納箱であり、６はコットン収納箱であり、７は鏡である。
【００１０】
上記各大型陳列台１〜３は、図２に示すように、ベースユニット１１と、このベースユニット１１の上下両棚板１１ａ, １１ｂに載置される２個の枠ユニット１２と、これら両枠ユニット１２の上下両棚板１２ａ, １２ｂに載置される複数個の陳列台１３とを備えている。また、このような陳列台１３としては、図３〜図９に示すタイプの陳列台１３ａ（本発明の陳列台の一実施の形態）や、図１０〜図１４に示すタイプの陳列台１３ｂ（本発明の陳列台の他の実施の形態）が用いられている。
【００１１】
上記陳列台１３ａは、図３〜図９に示すように、台本体２１と傾斜板部２２とからなり、上記台本体２１が、ケース２３と、このケース２３内に配設される載置部（物品載置台部）２４（図９参照）とからなっている。上記ケース２３は、略水平に形成された四角形状の底板２５と、この底板２５の前端部から略垂直に上向きに延びる四角形状の前板２６と、上記底板２５の後端部から略垂直に上向きに延びる上記前板２６より長い四角形状の後板２７と、上記底板２５の左右両側部から略垂直に上向きに延びる左右一対の左右両側板２８，２９（左右両側板２８，２９は、それぞれ左右対称形状になっている）とからなり、上面が開口している。すなわち、前板２６、後板２７、左右両側板２８，２９の各上辺で形成される傾斜状の上面開口部を有している。
【００１２】
また、上記載置部２４は、上記ケース２３の後部に配設され上記底板２５から略垂直に上向きに延びる縦板３０と、この縦板３０の所定高さ位置から前方に向かって略水平に延びる横板３１と、この横板３１の左右両側部から略垂直に上向きに延び後述する下側天板３３に一体的に連結する側板３１ａ（図９では、一方の側板しか図示せず）とからなり、この横板３１が上記ケース２３の内部に配設されている。すなわち、上記横板３１の前端がケース２３の上面開口部より下側に位置している。そして、図３に示すように、上記横板３１に縦長箱型の化粧料容器４が載置されている。
【００１３】
また、上記傾斜板部２２は、所定間隔をあけて平行に配設される上下一対の天板（物品挿通板）３２，３３（天板３２，３３の外形は略同じに形成されている）と、これら両天板３２，３３の外周部間に配設されこれら両天板３２，３３の外周部間の隙間を閉塞する四角形状枠体の側板３４とからなり、上記下側天板３３が、上記台本体２１のケース２３の上面開口部に取り付けられている。また、上記両天板３２，３３に、化粧料容器４を挿通しうる略長穴形状の挿通穴（物品挿通穴）３２ａ，３３ａが穿設されている。これら両挿通穴３２ａ，３３ａは、平面視で、略重なり合うように形成されており、これにより、化粧料容器４を横板３１上に垂直姿勢で載置したときに、化粧料容器４が両挿通穴３２ａ，３３ａを挿通できるようにしている。また、上記両挿通穴３２ａ，３３ａの形状は、化粧料容器４が丁度収まる形状に形成されているため、化粧料容器４が両挿通穴３２ａ，３３ａで規制されて、安定に保持されている。なお、上記挿通穴３２ａ，３３ａの形状は、円形状、四角形状、長穴形状等, 化粧料容器４の形状に合わせた各種の形状にすることができる。
【００１４】
このように、上記陳列台１３ａでは、台本体２１のケース２３の上面開口部に傾斜板部２２を設けているため、化粧料容器４を安定して保持することができる。しかも、化粧料容器４の大きさ、形状に合わせて傾斜板部２２の両天板３２，３３の挿通穴３２ａ，３３ａの大きさ、形状を設定することにより、台本体２１を変更する必要がなく、台本体２１として同じものが使用できる。
【００１５】
上記陳列台１３ｂは、図１０〜図１４に示すように、台本体３６と傾斜板部３７とからなり、上記台本体３６が、ケース３８と、このケース３８に固定される載置部３９（図１４参照）とからなっている。上記ケース３８は、上記陳列台１３ａの台本体２１と同様の構造に形成されており、底板２５と、前板２６と、後板２７と、左右両側板２８，２９とからなっている。また、上記傾斜板部３７も、上記陳列台１３ａの傾斜板部２２と同様の構造に形成されており、化粧料容器４を挿通しうる挿通穴３２ａ，３３ａが穿設された上下一対の両天板３２，３３と、側板３４とからなっている。ただし、上記両挿通穴３２ａ，３３ａの形状は、上部が略半円弧状に形成され、下部が略四角形状に形成されている。なお、上記挿通穴３２ａ，３３ａの形状は、この例でも、円形状，四角形状，長穴形状等、化粧料容器４の形状に合わせた各種の形状にすることができる。
【００１６】
この陳列台１３ｂでは、上記載置部３９は、上記後板２７の所定高さ位置から前方に向かって略水平に延びる横板４５と、この横板４５の前端部および左右両側縁部から略垂直に上向きに延びる落下防止用枠部４６と、上記横板４５の前部からケース３８の底板２５上に垂下する縦板４７とからなり、上記横板４５の前半部分が上記ケース３８の上面開口部から外側に飛び出すとともに、上記横板４５の前端寄り部分が傾斜板部３７の上側天板３２の挿通穴３２ａから外側に飛び出している。この場合でも、上記両挿通穴３２ａ，３３ａは、平面視で、略重なり合うように形成されているため、化粧料容器４を横板４５上に垂直姿勢で載置したときに、化粧料容器４が両挿通穴３２ａ，３３ａを挿通する。また、上記上側天板３２の挿通穴３２ａの後側部分の形状は、化粧料容器４の後面（この例では、略半円弧状である）に当接しうる形状に形成されているため、化粧料容器４が上記挿通穴３２ａで規制されて、安定に保持される。なお、下側天板３３の挿通穴３３ａの後側部分は、直線状に形成されているが、上側天板３２の挿通穴３２ａの後側部分と同様に、化粧料容器４の後面（この例では、略半円弧状である）に当接しうる形状に形成されていてもよい。この陳列台１３ｂでも、上記陳列台１３ａと同様の作用・効果を奏する。
【００１７】
なお、上記両実施の形態では、傾斜板部２２，３７を、所定間隔をあけて平行に配設した２枚の天板３２，３３で構成しているが、これに限定するものではなく、下側天板３３を載置部２４，３９と平行に設けてもよい。
【図面の簡単な説明】
【００１８】
【図１】本発明の陳列台の実施の形態を用いた陳列装置を示す斜視図である。
【図２】上記陳列装置に用いる大型陳列台の分解斜視図である。
【図３】本発明の陳列台の一実施の形態に化粧料容器を載置した状態を示す正面図である。
【図４】上記陳列台の正面図である。
【図５】上記陳列台の平面図である。
【図６】上記陳列台の側面図である。
【図７】上記陳列台の背面図である。
【図８】上記陳列台の底面図である。
【図９】上記陳列台の断面図である。
【図１０】本発明の陳列台の他の実施の形態に化粧料容器を載置した状態を示す正面図である。
【図１１】上記陳列台の正面図である。
【図１２】上記陳列台の平面図である。
【図１３】上記陳列台の側面図である。
【図１４】上記陳列台の断面図である。
【図１５】従来例の正面図である。
【符号の説明】
【００１９】
２４    載置部
３２，３３    上下一対の天板
３２ａ，３３ａ    挿通穴
【図１】
2005052372.tif 000003
【図２】
2005052372.tif 000004
【図３】
2005052372.tif 000005
【図４】
2005052372.tif 000006
【図５】
2005052372.tif 000007
【図６】
2005052372.tif 000008
【図７】
2005052372.tif 000009
【図８】
2005052372.tif 000010
【図９】
2005052372.tif 000011
【図１０】
2005052372.tif 000012
【図１１】
2005052372.tif 000013
【図１２】
2005052372.tif 000014
【図１３】
2005052372.tif 000015
【図１４】
2005052372.tif 000016
【図１５】
2005052372.tif 000017